(57)【要約】【課題】高い樹木に対して剪定等の作業を安全にかつ容易に行うことができるようにする。【解決手段】樹木Ｔの幹Ｍの近傍に設置される支柱１０と、支柱１０に対して取り付けられるロープ巻き取り装置７０と、支柱１０を支柱１０の長さ方向における複数の部位において樹木Ｔの幹Ｍに対して結合して支柱１０を樹木Ｔの幹Ｍに対して固定する複数の固定措置３０とを有し、ロープ巻き取り装置７０は、ロープ７５を巻き取る方向に付勢しつつロープ７５を引き出し可能に保持するとともに、ロープ７５を引き出す方向に所定以上の力が加わった際にロープ７５の引き出しを阻止するロック機能を有するものである。固定措置３０は、支柱１０に対して固定される支柱固定部４０と、樹木Ｔの幹Ｍに対して固定される幹固定部５０とを有する。【選択図】 図５
2015053915.tif 000002
【特許請求の範囲】
【請求項１】
樹木に対して剪定等の作業を行うために安全帯を取り付けるための設備であって、
前記樹木の幹の近傍に設置される支柱と、
前記支柱に対して取り付けられるロープ巻き取り装置と、
前記支柱を当該支柱の長さ方向における複数の部位において前記樹木の幹に対して結合して当該支柱を当該樹木の幹に対して固定する複数の固定装置とを有し、
前記ロープ巻き取り装置は、ロープを巻き取る方向に付勢しつつ当該ロープを引き出し可能に保持するとともに、当該ロープを引き出す方向に所定以上の力が加わった際に当該ロープの引き出しを阻止するロック機能を有するものである、
樹木剪定等のための安全帯取付設備。
【請求項２】
請求項１に記載の樹木剪定等のための安全帯取付設備であって、
前記固定装置は、
前記支柱に対して固定される支柱固定部と、
前記樹木の幹に対して固定される幹固定部と
を有するものである、樹木剪定等のための安全帯取付設備。
【請求項３】
請求項２に記載の樹木剪定等のための安全帯取付設備であって、
前記支柱固定部は、全体として前記支柱の断面に少なくともほぼ対応する複数の挟持部材を有し、その複数の挟持部材が前記支柱の断面を取り囲んだ状態で前記支柱を把持することによって前記支柱に対して固定されるクランプであり、
前記幹固定部は、ベース部と、そのベース部の両端部から延び当該ベース部とともに環状をなし、その周方向の長さが調整可能なベルトとを有し、前記樹木の幹の断面を取り囲んで当該樹木の幹に対して固定されるものである、
前記幹固定部のベース部と前記支柱固定部の一の挟持部材とが、当該両者を貫通する軸線回り方向に回動可能に連結されている、
樹木剪定等のための安全帯取付設備。
【請求項４】
請求項１〜請求項３のいずれかに記載の樹木剪定等のための安全帯取付設備であって、
前記支柱は、その上端部が前記樹木の上端部よりも高い位置に位置するものであり、
前記ロープ巻き取り装置は、前記支柱のうち前記樹木の上端部よりも高い位置において、当該支柱の軸回り方向に回転可能に取り付けられるものである、
樹木剪定等のための安全帯取付設備。
【請求項５】
請求項１〜請求項３のいずれかに記載の樹木剪定等のための安全帯取付設備であって、
前記支柱は、その上端部が前記樹木の上端部よりも高い位置に位置するものであり、
前記支柱には、当該支柱のうち前記樹木の上端部よりも高い位置において当該支柱から遠心方向成分を有する方向に延びるとともに当該支柱の軸回り方向に回転可能に張り出し部が設けられ、
前記ロープ巻き取り装置は、前記張り出し部に取り付けられるものである、
樹木剪定等のための安全帯取付設備。
【請求項６】
請求項１〜請求項５のいずれかに記載の樹木剪定等のための安全帯取付設備であって、
前記支柱は、その下端部が地面より上に位置する状態で前記樹木に対して固定されるものである、
樹木剪定等のための安全帯取付設備。
【請求項７】
請求項１〜請求項６のいずれかに記載の樹木剪定等のための安全帯取付設備であって、
前記支柱は、その途中長さ部分において折り曲げ可能なものである、
樹木剪定等のための安全帯取付設備。
【発明の詳細な説明】
【技術分野】
【０００１】
本発明は、樹木に対して剪定や農薬散布等の作業（以下においては「剪定等」又は「剪定等の作業」ともいうこととする）を行う際に、作業者の安全帯を取り付けるための設備に関するものである。
【背景技術】
【０００２】
所定以上に高い樹木の剪定等を行う際には、作業者は地面より高い位置に立つ必要がある。
その場合、従来、一般的に、脚立が使用されている。すなわち、樹木の近傍に脚立が設置され、作業者は、その脚立のいずれかの高さ位置に登った状態で、その樹木の剪定を行うのである。
しかしながら、脚立を使用する場合は、労働安全衛生規則の規定から、基本的にその高さの限度は２メートルであり、それに対応する高さ以上の高さを有する樹木を剪定するのは不可能である。
また、樹木の近傍に足場を設けて、その足場に登った状態で、その樹木の剪定を行うということも考えられる。しかしながら、足場を設ける作業は煩雑であり、剪定の作業の効率が悪化することとなる。
【０００３】
また、労働安全衛生規則上、安全帯等を安全に取り付けるための設備等を設けて、安全帯を使用すれば、２メートル以上の脚立を使用することも可能である。
しかしながら、本来的に、樹木の近傍の高い位置に、安全帯等を安全に取り付けるための設備等は存在せず、基本的に、剪定等の作業のたびごとにそのような設備等を設けることは容易なことではない。
そこで、樹木の近傍の高い位置に安全帯を取り付けるための設備を容易に設けて、高い樹木に対して剪定等の作業を安全にかつ容易に行うことができる技術が模索されていた。
【０００４】
なお、本願発明に関連する先行技術として、特許文献１に開示されているものがある。
【先行技術文献】
【特許文献】
【０００５】
【特許文献１】特開２００２−０６５０６１号公報
【発明の概要】
【発明が解決しようとする課題】
【０００６】
本発明は、高い樹木に対して剪定等の作業を安全にかつ容易に行うことができる技術を提供することを課題とする。
【課題を解決するための手段】
【０００７】
上記の課題を解決するために、請求項１に係る発明は、樹木に対して剪定等の作業を行うために安全帯を取り付けるための設備であって、前記樹木の幹の近傍に設置される支柱と、前記支柱に対して取り付けられるロープ巻き取り装置と、前記支柱を当該支柱の長さ方向における複数の部位において前記樹木の幹に対して結合して当該支柱を当該樹木の幹に対して固定する複数の固定装置とを有し、前記ロープ巻き取り装置は、ロープを巻き取る方向に付勢しつつ当該ロープを引き出し可能に保持するとともに、当該ロープを引き出す方向に所定以上の力が加わった際に当該ロープの引き出しを阻止するロック機能を有するものである、樹木剪定等のための安全帯取付設備である。
【０００８】
この発明の樹木剪定等のための安全帯取付設備は次のように使用され、次の作用効果が得られる。
支柱にロープ巻き取り装置が取り付けられるとともに、支柱が樹木の幹の近傍に設置され、複数の固定装置によって、支柱がその長さ方向における複数の部位において樹木の幹に対して結合されて、支柱が樹木の幹に対して固定される（各要素の結合はいずれの順でもよい）。
作業者は、ロープ巻き取り装置に保持されているロープに対して作業者が装着した安全帯が結合された状態で、高所における剪定等の作業を行う。その際、ロープは、ロープ巻き取り装置から引き出し可能であるため、作業者の高さ（正確には、ロープ巻き取り装置と作業者との距離）に応じて引き出される。また、作業者の高さがそれまでより高くなった（正確には、ロープ巻き取り装置と作業者との距離が短くなった）場合等においては、その分、ロープはロープ巻き取り装置に巻き取られる。
そして、ロープ巻き取り装置に保持されているロープに、当該ロープを引き出す方向に所定以上の力が加わった際には、ロープ巻き取り装置のロック機能によって、当該ロープの引き出しが阻止される。
このため、仮に作業者が高所から落下しようとする場合には、ロープを引き出す方向に所定以上の力が加わり、ロープの引き出しが阻止され、作業者が落下することが阻止される。
以上のため、この発明の樹木剪定等のための安全帯取付設備では、作業者の安全が維持されつつ、作業者が高所において樹木の剪定等の作業を行うことができるのである。
【０００９】
請求項２に係る発明は、請求項１に係る発明の樹木剪定等のための安全帯取付設備であって、前記固定装置は、前記支柱に対して固定される支柱固定部と、前記樹木の幹に対して固定される幹固定部とを有するものである、樹木剪定等のための安全帯取付設備である。
【００１０】
この発明の樹木剪定等のための安全帯取付設備では、請求項１に係る発明の樹木剪定等のための安全帯取付設備の作用効果がより具体的に得られる。
すなわち、固定装置のうちの支柱固定部が支柱に対して固定され、固定装置のうちの幹固定部が樹木の幹に対して固定される。
こうして、支柱が樹木に対して固定されることとなる。
【００１１】
請求項３に係る発明は、請求項２に係る発明の樹木剪定等のための安全帯取付設備であって、前記支柱固定部は、全体として前記支柱の断面に少なくともほぼ対応する複数の挟持部材を有し、その複数の挟持部材が前記支柱の断面を取り囲んだ状態で前記支柱を把持することによって前記支柱に対して固定されるクランプであり、前記幹固定部は、ベース部と、そのベース部の両端部から延び当該ベース部とともに環状をなし、その周方向の長さが調整可能なベルトとを有し、前記樹木の幹の断面を取り囲んで当該樹木の幹に対して固定されるものである、前記幹固定部のベース部と前記支柱固定部の一の挟持部材とが、当該両者を貫通する軸線回り方向に回動可能に連結されている、樹木剪定等のための安全帯取付設備である。
【００１２】
この発明の樹木剪定等のための安全帯取付設備では、請求項２に係る発明の樹木剪定等のための安全帯取付設備の作用効果がより具体的に得られる。
すなわち、固定装置のうちの支柱固定部（クランプ）は、全体として支柱の断面に少なくともほぼ対応する複数の挟持部材が支柱の断面を取り囲んだ状態で支柱を把持することによって、支柱に対して固定される。
また、固定装置のうちの幹固定部は、ベース部及びベルトが樹木の幹の断面を取り囲んで、幹に対して固定される。その際、ベルトは、その周方向の長さが調整可能なものであるため、各種の太さの幹に対応することができる。
また、幹固定部のベース部と支柱固定部の一の挟持部材とが、両者を貫通する軸線回り方向に回動可能に連結されているため、樹木の幹の断面を取り囲んだ状態の幹固定部と支柱の断面を取り囲んだ状態の支柱固定部とが、相互にその軸線回り方向に回動である。このため、支柱と幹とが平行ではない場合にも、幹に対して支柱を容易に固定することが可能である。
【００１３】
請求項４に係る発明は、請求項１〜請求項３のいずれかに係る発明の樹木剪定等のための安全帯取付設備であって、前記支柱は、その上端部が前記樹木の上端部よりも高い位置に位置するものであり、前記ロープ巻き取り装置は、前記支柱のうち前記樹木の上端部よりも高い位置において、当該支柱の軸回り方向に回転可能に取り付けられるものである、樹木剪定等のための安全帯取付設備である。
【００１４】
「前記支柱のうち前記樹木の上端部よりも高い位置」の一例として、「前記支柱の上端部」がある。
【００１５】
この発明の樹木剪定等のための安全帯取付設備では、請求項１〜請求項３のいずれかに係る発明の樹木剪定等のための安全帯取付設備の作用効果に加えて、次の作用効果が得られる。
すなわち、この発明の樹木剪定等のための安全帯取付設備では、支柱の上端部が樹木の上端部よりも高い位置に位置するとともに、ロープ巻き取り装置が支柱のうち樹木の上端部よりも高い位置において、支柱の軸回り方向に回転可能に取り付けられるため、ロープ巻き取り装置のロープ（正確には、ロープ巻き取り装置から露出した部分）が、ほぼ直線状のまま、樹木と干渉することなく支柱の軸回り方向に回転することが可能となり得る。
このため、その場合は、ロープをそのように支柱を中心に回転させることによって、樹木のうちの周方向のすべての部分について、容易に剪定等の作業を行うことができることとなる。
【００１６】
請求項５に係る発明は、請求項１〜請求項３のいずれかに係る発明の樹木剪定等のための安全帯取付設備であって、前記支柱は、その上端部が前記樹木の上端部よりも高い位置に位置するものであり、前記支柱には、当該支柱のうち前記樹木の上端部よりも高い位置において当該支柱から遠心方向成分を有する方向に延びるとともに当該支柱の軸回り方向に回転可能に張り出し部が設けられ、前記ロープ巻き取り装置は、前記張り出し部に取り付けられるものである、樹木剪定等のための安全帯取付設備である。
【００１７】
「前記支柱のうち前記樹木の上端部よりも高い位置」の一例として、「前記支柱の上端部」がある。
【００１８】
この発明の樹木剪定等のための安全帯取付設備では、請求項１〜請求項３のいずれかに係る発明の樹木剪定等のための安全帯取付設備の作用効果に加えて、次の作用効果が得られる。
すなわち、この発明の樹木剪定等のための安全帯取付設備では、支柱の上端部が樹木の上端部よりも高い位置に位置するとともに、支柱には、支柱のうち樹木の上端部よりも高い位置において支柱から遠心方向成分を有する方向に延びるとともに支柱の軸回り方向に回転可能に張り出し部が設けられ、その張り出し部にロープ巻き取り装置が取り付けられるため、ロープ巻き取り装置のロープ（正確には、ロープ巻き取り装置から露出した部分）が、ほぼ直線状のまま、樹木と干渉することなく支柱の軸回り方向に回転することが可能となり得る。
このため、その場合は、ロープをそのように支柱を中心に回転させることによって、樹木のうちの周方向のすべての部分について、容易に剪定等の作業を行うことができることとなる。
また、この発明の樹木剪定等のための安全帯取付設備では、支柱から遠心方向成分を有する方向に延びる張り出し部にロープ巻き取り装置が取り付けられるため、支柱又はその近傍にロープ巻き取り装置が取り付けられる場合と比較して、より容易に、ロープ巻き取り装置のロープが、樹木と干渉することなく支柱の軸回り方向に回転させることが可能となり得る。このため、逆にいえば、支柱の高さが、その分低いものであっても足りることとなる。
【００１９】
請求項６に係る発明は、請求項１〜請求項５のいずれかに係る発明の樹木剪定等のための安全帯取付設備であって、前記支柱は、その下端部が地面より上に位置する状態で前記樹木に対して固定されるものである、樹木剪定等のための安全帯取付設備である。
【００２０】
この発明の樹木剪定等のための安全帯取付設備では、請求項１〜請求項５のいずれかに係る発明の樹木剪定等のための安全帯取付設備の作用効果に加えて、次の作用効果が得られる。
すなわち、この発明の樹木剪定等のための安全帯取付設備では、支柱の下端部が地面に当接しないため、地面が支柱の下端部を当接させるのに好適な状態でなくても、支柱に適切に樹木の幹に対して固定することが可能である。
また、一般的に、樹木の幹のうちの特に下端部の近傍は下方（地面）に向かうにつれて太くなるため、その部分にも支柱（特に直棒状の支柱）を結合することは困難であるが、この発明の樹木剪定等のための安全帯取付設備では、それを回避することが可能となり、樹木の幹に対して容易に支柱を固定することが可能となる。
【００２１】
請求項７に係る発明は、請求項１〜請求項６のいずれかに係る発明の樹木剪定等のための安全帯取付設備であって、前記支柱は、その途中長さ部分において折り曲げ可能なものである、樹木剪定等のための安全帯取付設備である。
【００２２】
この発明の樹木剪定等のための安全帯取付設備では、請求項１〜請求項６のいずれかに係る発明の樹木剪定等のための安全帯取付設備の作用効果に加えて、次の作用効果が得られる。
すなわち、この発明の樹木剪定等のための安全帯取付設備では、支柱がその途中長さ部分において折り曲げ可能なものであるため、樹木の幹が曲がっていたり、その長さ方向において太さが非直線的に変動したりする場合等でも、それに対応して支柱を折り曲げることによって、樹木の幹に対して容易に支柱を容易にている、
【図面の簡単な説明】
【００２３】
【図１】本発明の実施例１の樹木剪定等のための安全帯取付設備の全体を示す分解斜視図である。
【図２Ａ】本発明の実施例１の樹木剪定等のための安全帯取付設備のうちの固定装置を示す斜視図である。
【図２Ｂ】本発明の実施例１の樹木剪定等のための安全帯取付設備のうちの固定装置を示す分解斜視図である。
【図３】本発明の実施例１の樹木剪定等のための安全帯取付設備のうちの一部を示す分解斜視図である。
【図４】本発明の実施例１の樹木剪定等のための安全帯取付設備のうちの支柱等を示す分解斜視図である。
【図５】本発明の実施例１の樹木剪定等のための安全帯取付設備の使用状態を示す斜視図である。
【図６】本発明の実施例２の樹木剪定等のための安全帯取付設備のうちの一部を示す斜視図である。
【図７】本発明の実施例３の樹木剪定等のための安全帯取付設備のうちの一部を示す斜視図である。
【図８】本発明の実施例４の樹木剪定等のための安全帯取付設備の使用状態を示す斜視図である。
【発明を実施するための形態】
【００２４】
［実施例１］
次に、本発明の実施例１について、図１〜図５に基づいて説明する。
図１に示すように、この樹木剪定等のための安全帯取付設備は、高い樹木Ｔの剪定等を行うためのものであって、支柱１０，複数（代表例として２つ）の固定装置３０，ロープ巻き取り装置７０を有している。そして、安全帯８０，脚立９０とともに使用される。
安全帯８０は作業者Ｗに装着される。図３に示すように、安全帯８０はロープ８１を有し、ロープ８１の先端部にはフック８２が取り付けられている。
【００２５】
図１等に示すように、支柱１０は、直棒状をしており、アルミニウム合金等の金属，炭素繊維強化樹脂等によって形成されており、中空の丸軸状をしている。なお、支柱１０は、複数の分割支柱が長さ方向に結合されて形成されていてもよい。
図５に示すように、支柱１０は、樹木Ｔの幹Ｍの近傍に設置される。
図１及び図５に示すように、支柱１０の長さ（設置された際の高さ）は、樹木Ｔの高さより長い（高い）。すなわち、支柱１０が樹木Ｔの幹Ｍに固定された状態で、支柱１０の上端部は樹木Ｔの上端部よりも高い位置にある。支柱１０としては、そのような高さを有するものが使用される。
【００２６】
支柱１０のうちの下側部分は、次のように、折れ曲がり可能とされている。
図４に示すように、支柱１０は、その部分で上下に分割されてメイン部１１とベース部１２とされており、両者間にはゴム等による介装材１５が介装されている。
介装材１５の上部及び下部は嵌合部１６であり、各嵌合部１６は支柱１０の内径に対応した外径を有する円柱状をしている。介装材１５の中央部分は可撓部１７であり、可撓部１７は支柱１０とほぼ同径の円柱状をしている。そして、各嵌合部１６が支柱１０（メイン部１１・ベース部１２）の内部に嵌合されている。
こうして、図５に示すように、支柱１０は、介装材１５の可撓部１７において、折れ曲がり可能とされている。
【００２７】
図１及び図４等に示すように、支柱１０の下端部にはゴムボール２０が取り付けられている。
図４に示すように、ゴムボール２０は、中実のほぼ球状をしている。その上部は平面部２１とされており、平面部２１から下方に向けて円柱状の嵌合穴２２が形成されている。
支柱１０（ベース部１２）の下端部の近傍には、フランジ１９が設けられている。
そして、支柱１０の下端部がゴムボール２０の嵌合穴２２に嵌合され、フランジ１９が平面部２１に当接している。
【００２８】
図２Ａ及び図２Ｂに示すように、固定装置３０は、支柱固定部４０，幹固定部５０を有している。
支柱固定部４０は、クランプであり、金属によって形成され、一対の挟持部材（第１挟持部材４１，第２挟持部材４２）を有している。
各挟持部材４１，４２は、ともに、円弧状に湾曲している。詳細に述べると、各挟持部材４１，４２は、その上縁部の近傍及び下縁部の近傍においてフランジ状に内側方向に折り曲げられるとともに、その内縁部は円弧状をしている。両挟持部材４１，４２は、ヒンジ４３によって回動（開閉）可能に連結されており、全体として支柱１０の断面にほぼ対応している。前述と同様に詳細に述べると、両挟持部材４１，４２の上縁部及び下縁部の内縁部が、全体として支柱１０の断面にほぼ対応している。
【００２９】
第１挟持部材４１の先端部の近傍は上下方向に絞られ、ねじ軸４５が回動可能に連結されている。それに対応して、第２挟持部材４２には、嵌合溝４６が形成されている。ねじ軸４５にはナット４７が螺合されている。
そして、第１挟持部材４１及び第２挟持部材４２において支柱１０（その断面）を取り囲んだ状態で、ねじ軸４５が嵌合溝４６に嵌合され、ナット４７が締められることによって、クランプは支柱１０を把持する。こうして、支柱固定部４０（固定装置３０）は支柱１０に対して固定される。
【００３０】
幹固定部５０は、ベース部５１，ベルト５５を有している。
ベース部５１は、金属板によって形成されており、中央板部５２，右側板部５３ａ，左側板部５３ｂを有している。右側板部５３ａ／左側板部５３ｂは、中央板部５２に対して鈍角状に折り曲げられて形成されている。なお、右側板部５３ａ／左側板部５３ｂは、中央板部５２とは別体で、中央板部に対して蝶番を介して連結されていてもよい。
ベース部５１は、次のように、中央板部５２において、第１挟持部材４１に対して回動可能に連結されている。
第１挟持部材４１及び中央板部５２には、各々、挿通孔３２，３３が形成されており、中央板部５２（ベース部５１）の側からボルト３５が挿通孔３３及び挿通孔３２に挿通され、第１挟持部材４１の側からボルト３５に対してナット３４が螺合されている。ナット３４は締め付けられない状態でボルト３５に対して溶着されている。こうして。ボルト３５の軸回り方向において、第１挟持部材４１とベース部５１は相対的に回動可能である。
なお、ボルト３５は、その頭部（符号省略）の厚みが薄いものが使用される。また、中央板部５２，右側板部５３ａ，左側板部５３ｂの内側の面には、各々、緩衝シート３９が貼着されている（ボルト３５の頭部は緩衝シート３９によって被覆されている）。
【００３１】
ベルト５５は、次のように、ベース部５１に対して取り付けられている。
ベルト５５は、第１ベルト部材５６ａ及び第２ベルト部材５６ｂからなっている。
右側板部５３ａ及び左側板部５３ｂには、各々、スリット５４が形成されている（右側板部５３ａのスリットは図示されていない）。
右側板部５３ａのスリット（図示省略）に対して第１ベルト部材５６ａ（その基端部）が取り付けられており、左側板部５３ｂのスリットに対して第２ベルト部材５６ｂ（その基端部）が取り付けられている。
第２ベルト部材５６ｂの先端部には、角リング５７が取り付けられている。角リング５７は四角環状をなしており、角リング５７には、ベルト５５の幅方向に延びる直棒材５８が、直棒材５８の両端部に形成された各孔部（符号省略）において、ベルト５５の長さ方向に移動可能に取り付けられている。
そして、第１ベルト部材５６ａ（その先端部）が角リング５７のうち内側（第１ベルト部材５６ａ及び第２ベルト部材５６ｂが結合された状態の円環状のベルト５５の内側）から角リング５７のうちの直棒材５８を基準に第２ベルト部材５６ｂの側の空間に挿入されて、直棒材５８において反転され、角リング５７（そのうち第２ベルト部材５６ｂとは反対側の部分）の内側を通って、角リング５７から挿出される。こうして、ベルト５５の長さが調整可能であり、ベルト５５は所定の長さにおいて固定される。
このようにして、幹固定部５０（ベース部５１及びベルト５５）は、樹木Ｔの幹Ｍの全周に応じて、ベース部５１及びベルト５５は樹木Ｔの幹Ｍを取り囲んで、樹木Ｔの幹Ｍに対して固定される。
【００３２】
図１及び図３等に示すように、支柱１０の上端部には、回転張り出し材６０が取り付けられる。
回転張り出し材６０は、嵌合部６１，張り出し部６２を有している。
嵌合部６１は有蓋円筒状をなしており、支柱１０の上端部に対して回転可能に嵌合される、
張り出し部６２は、嵌合部６１からほぼ垂直に延びている。すなわち、支柱１０が鉛直状態の際に、張り出し部６２はほぼ水平に延びることとなる。張り出し部６２の先端部の近傍には取付孔６３が形成されている。
【００３３】
張り出し部６２（その取付孔６３）に対して、ロープ巻き取り装置７０が取り付けられる。
ロープ巻き取り装置７０は、周知のものであり、次の構造を有している。
ロープ巻き取り装置７０には、ロープ７５が、巻き取り方向に付勢されつつ、巻き取り状態で内蔵されている。ロープ７５は、その巻き取り方向への付勢力に抗して引き出し可能である。
そして、ロープ７５を所定の各引き出し位置でロックするとともに、ロープ７５に対して引き出す方向に所定以上の力が加わった際にロープ７５の引き出しを阻止するロック機能を有するものである。
ロープ巻き取り装置７０には、取付孔７１が設けられている。
ロープ７５の先端にはフック７６が取り付けられている。
【００３４】
次に、この樹木剪定等のための安全帯取付設備の使用方法及び作用効果について説明する。
まず、図３に示すように、支柱１０の上端部に回転張り出し材６０を取り付ける。
それと相前後して、張り出し部６２（取付孔６３）に対して、カラビナ７８を介して、取付孔７１においてロープ巻き取り装置７０を取り付ける。その際、ロープ巻き取り装置７０から、所定の長さだけロープ７５を引き出しておく。
【００３５】
次に、図５に示すように、複数（代表例として２つ）の固定装置３０を用いて、樹木Ｔの幹Ｍに対して支柱１０を固定する。
支柱１０の基端部のゴムボール２０を樹木Ｔの根元の近傍の地面に対して設置し、支柱１０のメイン部１１のうちの下端部（介装材１５のすぐ上）の近傍及び支柱１０のうちの上部等において、固定装置３０によって樹木Ｔの幹Ｍに対して支柱１０を固定する。
【００３６】
その際、一般的に樹木Ｔの下端部は側方に張り出している（下方に向かうにつれて非直線的に、すなわち、加速度的に太くなる）ため、介装材１５において支柱１０を曲げることによって、支柱１０の基端部（ゴムボール２０）を地面に対して設置するとともに、支柱１０のメイン部１１を樹木Ｔの幹Ｍに対して近接した状態で、樹木Ｔの幹Ｍに対して固定することができる。
また、支柱１０の基端部がゴムボール２０であるため、地面に凹凸があったり、草が生えていたりしても、地面に対して支柱１０を適切に設置することができる。
【００３７】
各固定装置３０については、次のように使用する。
まず、予め、支柱１０の各部位に対して、その支柱固定部４０（クランプ）において、複数（代表例として２つ）の固定装置３０を取り付けておく。すなわち、図２Ａに示すように、第１挟持部材４１及び第２挟持部材４２によって支柱１０を挟持し、ねじ軸４５を嵌合溝４６に嵌合させ、ラチェットレンチ等を用いてナット４７を締め付ける。こうして、支柱１０に対して固定装置３０（クランプ）を取り付ける。
次に、図５に示すように、支柱１０を樹木Ｔの根元（幹Ｍの下端部）の近傍の地面に設置するとともに、支柱１０を樹木Ｔの幹Ｍに沿わせ、幹固定部５０において、固定装置３０を幹Ｍに固定する。
すなわち、図２Ａに示すように、第１ベルト部材５６ａ及び第２ベルト部材５６ｂで樹木Ｔの幹Ｍを取り囲み、前述したように、第１ベルト部材５６ａと第２ベルト部材５６ｂとを角リング５７において結合させる。その際、ベルト５５（第１ベルト部材５６ａ及び第２ベルト部材５６ｂ）及びベース部５１によって、できるだけ樹木Ｔの幹Ｍを締め付けるようにする。こうして、樹木Ｔの幹Ｍに対して固定装置３０（幹固定部５０）を取り付ける。
このようにして、図５に示すように、支柱１０を、その各部位において、樹木Ｔの幹Ｍに対して固定する。
【００３８】
次に、作業者Ｗが、樹木Ｔの近傍に設置された脚立９０に登り、前述したように予めロープ巻き取り装置７０から引き出されたロープ７５に対して安全帯８０を連結させる。すなわち、ロープ７５のフック７６に対して安全帯８０のフック８２を係合させる。
その状態で、作業者Ｗは、樹木Ｔに対して剪定等の作業を行う。
作業者Ｗが高い位置から徐々に低い位置に移動する際には、ロープ７５がロープ巻き取り装置７０から自動的に引き出される。
そして、万が一、作業者Ｗが足を滑らせて脚立９０から落ちた場合には、ロープ７５に所定以上の引き出し力が加わることとなり、ロープ７５がロックされ、それ以上引き出されないようになる。こうして、作業者Ｗが地面に対して激突することが防止され、作業者Ｗは安全に剪定等の作業を行うことができるのである。
【００３９】
また、回転張り出し材６０は嵌合部６１において支柱１０の軸回り方向に回転可能であるため、回転張り出し材６０を回転させることによって、樹木Ｔのすべての部分について、容易に剪定等の作業を行うことができる。
すなわち、支柱１０の上端部は樹木Ｔの上端部よりも高い位置にあるとともに、回転張り出し材６０が支柱１０の上端部に設けられ、その張り出し部６２の先端部の近傍にロープ巻き取り装置７０が取り付けられている。
このため、回転張り出し材６０とともにロープ７５をほぼ直線状のまま支柱１０の軸回り方向に回転させる際に、ロープ７５が樹木Ｔと干渉することが防止され得る。すなわち、支柱１０の高さ（樹木Ｔの上端部からの突出度合い），張り出し部６２の長さ，樹木Ｔの形態等の条件にもよるが、ロープ７５が樹木Ｔ（その枝や葉）と干渉することなく、ロープ７５（正確にはロープ巻き取り装置７０から露出した部分）をほぼ直線状のまま回転させることが可能となり得る。
このため、その場合は、ロープ７５をそのように支柱１０を中心に（すなわち、樹木Ｔの幹Ｍを中心に）回転させることによって、樹木Ｔのうちの周方向のすべての部分について、容易に剪定等の作業を行うことができるのである。
【００４０】
なお、上述と同様に、支柱１０が、その途中長さ部分（１箇所のみでなく、複数箇所でもよい）において折り曲げ可能なものとされることによって、樹木Ｔの幹Ｍが曲がっている場合等や、幹Ｍの下端部に限らず、その長さ方向において非直線的に太さが変動する場合等においても、それに対応して、支柱１０を樹木の幹Ｍに対して容易に固定することが可能である。
【００４１】
［実施例２］
次に、本発明の実施例２について、図６に基づいて説明する。実施例２は、実施例１の変形例であり、実施例１との相違点を中心に説明する（以下同様である）。実施例１と共通する要素については同一又は関連する（「１００」を足した）符号を付して、説明を適宜省略する。
【００４２】
この樹木剪定等のための安全帯取付設備では、支柱１１０は直棒状をしてる。すなわち、実施例１（図４，図５）とは異なり、その下側部分が折れ曲がり可能とされてはいない。また、同じく、支柱１１０の基端部にはゴムボール２０は取り付けられていない。
そして、この樹木剪定等のための安全帯取付設備（使用方法）においては、支柱１１０（その下端部）が地面に対して設置されない。すなわち、複数の固定装置３０のうちの少なくとも一方（できれば下側の固定装置３０）の幹固定部５０のベルト５５が樹木Ｔの枝Ｂのすぐ上に位置するように、支柱１１０を樹木Ｔの幹Ｍに固定する。
こうして、そのベルト５５（固定装置３０）が樹木Ｔの枝Ｂによって支持され、支柱１１０が下降することが防止される。なお、ベルト５５と枝Ｂとの間に隙間がある場合は、その隙間が解消されるまで支柱１１０が多少下降する場合もあるが、その隙間が解消した後は支柱１１０が下降することが防止される。
【００４３】
この樹木剪定等のための安全帯取付設備では、次の特有の効果が得られる。
一般的に、樹木Ｔの幹Ｍはその根元に向かうにつれて側方に広がるとともに、地面には凹凸があったり草が生えていたりする場合が多い。このため、直棒状の支柱を地面に安定的に設置しつつ幹Ｍに固定するのは困難な場合が多い。
しかしながら、この樹木剪定等のための安全帯取付設備（使用方法）では、支柱１１０の下端部が宙に浮いている（地面よりも高い位置にある）ため、上述のような不具合は生じず、支柱１１０を幹Ｍに対して円滑に固定することができる。
すなわち、実施例１（図４，図５）の支柱１０のように折れ曲がり可能とされたり、その基端部にゴムボール２０が取り付けられたりする必要もない。
また、この樹木剪定等のための安全帯取付設備（使用方法）では、支柱１１０の長さが実施例１の支柱１０（図５等）の長さよりも短くて済むこととなる。
【００４４】
［実施例３］
次に、本発明の実施例３について、図７に基づいて説明する。
実施例３も、実施例１の変形例であり、実施例１との相違点を中心に説明し、実施例１と共通する要素については同一又は関連する（「２００」を足した）符号を付して、説明を適宜省略する。
【００４５】
この樹木剪定等のための安全帯取付設備では、支柱２１０（ベース部２１２）の下端部は、可傾支持材２２０に接続されている。
可傾支持材２２０は、平板状のベース板２２１を有し、ベース板２２１には、一対の支持板部２２３及びその両者をつなぐ連結板部２２４を有する立設部２２２が接続されている。一対の支持板部２２３にわたって支持軸２２５が設けられている。支柱２１０のベース部２１２の基端部及びその近傍は両支持板部２２３の間に配設され、支持軸２２５は、支柱２１０のベース部２１２の基端部の近傍に形成された一対の取付孔（符号省略）を相対的に摺動可能（その軸回り方向に摺動可能）に貫通している。
こうして、介装材１５において支柱２１０を曲げるとともに、ベース板２２１を地面に対して安定的に設置することができる。
【００４６】
［実施例４］
次に、本発明の実施例４について、図８に基づいて説明する。
実施例４も実施例１の変形例であり、実施例１と共通する要素については同一又は関連する（「３００」を足した）符号を付して、説明を適宜省略する。
【００４７】
この樹木剪定等のための安全帯取付設備では、ロープ巻き取り装置７０が、支柱１０のほぼ上端部に取り付けられている。
すなわち、支柱１０の上端部には、回転支持材３６０が設けられる。回転支持材３６０は、嵌合部３６１，支持部３６２を有している。
嵌合部３６１は有蓋円筒状をなしており、支柱１０の上端部に対して回転可能に嵌合される。この嵌合部３６１は、実施例１における回転張り出し材６０の嵌合部６１よりも短いもので足りるため、そのようにされている。
支持部３６２は、実施例１（図５）における回転張り出し材６０の張り出し部６２のように嵌合部６１からほぼ垂直（水平）に延びるのではなく、嵌合部３６１に対して取付孔６３を形成するために小片状をしているのみである。
支柱１０の長さ（設置された際の高さ）は、樹木Ｔの高さより長く、支柱１０の上端部は樹木Ｔの上端部よりも高い。その点は、実施例１と同様であるが、この実施例の樹木剪定等のための安全帯取付設備では、さらに高いものとされている。
【００４８】
以上のように、この樹木剪定等のための安全帯取付設備では、実施例１のような張り出し部６２（図５）を有さない一方で、支柱１０の高さがより高いものとされているため、実施例１の樹木剪定等のための安全帯取付設備と同様に、回転支持材３６０とともにロープ７５をほぼ直線状のまま支柱１０の軸回り方向に回転させる際に、ロープ７５が樹木Ｔと干渉することが防止され得る。すなわち、支柱１０の高さ（樹木Ｔの上端部からの突出度合い），樹木Ｔの形態等の条件にもよるが、ロープ７５が樹木Ｔ（その枝や葉）と干渉することなく、ロープ７５（正確にはロープ巻き取り装置７０から露出した部分）をほぼ直線状のまま回転させることが可能となり得る。
このため、その場合は、ロープ７５をそのように支柱１０を中心に（すなわち、樹木Ｔの幹Ｍを中心に）回転させることによって、樹木Ｔのうちの周方向のすべての部分について、容易に剪定等の作業を行うことができるのである。
また、この樹木剪定等のための安全帯取付設備では、張り出し部６２（実施例１）を有していないため、上述のようにロープ７５を支柱１０の軸回り方向に回転させる際に、その負担を張り出し部６２が受けるということがなく、強度的にもより安定的なものとなり得る。
【００４９】
なお、上記のものはあくまで本発明の数例の実施例にすぎず、当業者の知識に基づいて種々の変更を加えた態様で本発明を実施できることはもちろんである。
【符号の説明】
【００５０】
１０，１１０，２１０  支柱
３０  固定装置
４０  支柱固定部
４１  第１挟持部材
４２  第２挟持部材
５０  幹固定部
５１  ベース部
５５  ベルト
６２  張り出し部
７０  ロープ巻き取り装置
７５  ロープ
Ｔ  樹木Ｔ
Ｍ  幹Ｍ
【図１】
2015053915.tif 000003
【図２Ａ】
2015053915.tif 000004
【図２Ｂ】
2015053915.tif 000005
【図３】
2015053915.tif 000006
【図４】
2015053915.tif 000007
【図５】
2015053915.tif 000008
【図６】
2015053915.tif 000009
【図７】
2015053915.tif 000010
【図８】
2015053915.tif 000011